(57)【要約】【課題】製造コストを抑えた鍵保管装置を提供する。【解決手段】鍵に取り付けられる複数のキーホルダー５と、キーホルダー５が挿入される複数のホルダーケース４と、複数のホルダーケース４が列状に並べて設けられた本体部３と、本体部３のホルダーケース４が並べられた列の一端側に設けられる発光部１２と、本体部３の列の他端側に設けられ、発光部１２から発光された光を受光する受光部１３と、を備え、ホルダーケース４は、キーホルダー５が挿入されていない場合に発光部１２から発光された光を遮光する羽部４Ｈを備え、受光部１３により光が受光されなかった場合に、何れかのキーホルダー５が挿入されていないと判定する判定回路１４を備えた。【選択図】図１
2008308879.tif 000002
【特許請求の範囲】
【請求項１】
複数の鍵を保管する鍵保管装置であって、
鍵に取り付けられる複数のキーホルダーと、
前記キーホルダーが挿入される複数のホルダーケースと、
複数の前記ホルダーケースが列状に並べて設けられた本体部と、
前記本体部の前記ホルダーケースが並べられた列の一端側に設けられる発光部と、
前記本体部の前記列の他端側に設けられ、前記発光部から発光された光を受光する受光部と、
を備え、
前記ホルダーケースは、前記キーホルダーが挿入されていない場合に前記発光部から発光された光を遮光する遮光部材を備え、
前記受光部により光が受光されなかった場合に、何れかの前記キーホルダーが挿入されていないと判定する判定部を備える鍵保管装置。
【請求項２】
前記本体部は、前記ホルダーケースの前記列を複数列備え、
前記ホルダーケースの前記列毎に前記発光部及び前記受光部を備え、
前記判定部は、何れかの前記受光部により光が受光されなかった場合に、何れかの前記キーホルダーが挿入されていないと判定する請求項１に記載の鍵保管装置。
【請求項３】
隣り合う前記列において、一方の前記列に備えられる前記発光部は、他方の前記列
に備えられる前記発光部と対向するように備えられる請求項２に記載の鍵保管装置。
【請求項４】
前記判定部による判定結果を表示する表示部を備える請求項１乃至３に記載の鍵保管装置。
【請求項５】
前記本体部の前記ホルダーケースが並べられた主面を覆う扉を備え、
前記扉は、前記表示部に相当する位置に窓穴部を有する請求項４に記載の鍵保管装置。
【請求項６】
前記遮光部材は、前記ホルダーケースに前記キーホルダーが挿入されることにより第１の位置から第２の位置に回動するように取り付けられ、
前記第１の位置は、前記遮光部材が自重により回動して安定する位置であり、
前記遮光部材は、前記第１の位置にあるとき、前記発光部から発光された光を遮光する請求項１乃至５の鍵保管装置。
【発明の詳細な説明】
【技術分野】
【０００１】
本発明は、鍵保管装置に関する。
【背景技術】
【０００２】
学校やビルなどでは、多数本の鍵を確実に管理する必要がある。そのため、多数本の鍵を管理するための様々な従来技術が提案されている（例えば、特許文献１〜３）。
例えば、特許文献１の鍵保管装置は、鍵を保管する多数のフックと多数のフックスイッチを備えている。そして、当該フックに鍵が掛けられているか否かを当該フックスイッチにより検出する。
【０００３】
また、特許文献２では、鍵毎に異なる識別コードを有する識別タグを鍵に取り付け、その識別コードを予め鍵保管装置に記憶させる。そして、鍵保管装置内に保管された鍵の識別コードを識別タグから読み取り、読み取った識別コードから何れの鍵が不在であるのかを判断する鍵保管装置が記載されている。
【０００４】
また、特許文献３では、鍵を収納するケースを多数備え、赤外線ＩＤタグを個々の鍵に取り付ける。また、個々のケースに発光ダイオード及び受光ダイオードを備える。そして、ケースに収納された鍵の赤外線ＩＤタグに発光ダイオードから赤外線を照射し、受光ダイオードにより赤外線ＩＤタグの情報を読み取ることにより、複数の鍵を個別に管理することができる鍵保管装置が記載されている。
【特許文献１】特開平９−１８９１５２号公報
【特許文献２】特開２００７−３９９４１号公報
【特許文献３】特開２００６−１３２２９０号公報
【発明の開示】
【発明が解決しようとする課題】
【０００５】
しかしながら、特許文献１では、個々の鍵毎に、当該鍵を収納するケース部分にフックスイッチを設けるため、鍵保管装置の製造コストが高くなってしまうという問題がある。
同様に、特許文献２では、鍵毎に識別タグを取り付けるため、保管する鍵の数が多い場合には、コストが高くなってしまう。
また、同様に、特許文献３では、鍵毎に赤外線ＩＤタグを取り付け、さらに、鍵を収納するケース毎に発光ダイオード及び受光ダイオードを設けるため、鍵保管装置の製造コストがさらに高くなってしまう。
【０００６】
本発明の目的は、このような問題点を解決するためになされたものであり、製造コストを抑えた鍵保管装置を提供することを目的とする。
【課題を解決するための手段】
【０００７】
本発明にかかる鍵保管装置は、複数の鍵を保管する鍵保管装置であって、鍵に取り付けられる複数のキーホルダーと、前記キーホルダーが挿入される複数のホルダーケースと、複数の前記ホルダーケースが列状に並べて設けられた本体部と、前記本体部の前記ホルダーケースが並べられた列の一端側に設けられる発光部と、前記本体部の前記列の他端側に設けられ、前記発光部から発光された光を受光する受光部と、を備え、前記ホルダーケースは、前記キーホルダーが挿入されていない場合に前記発光部から発光された光を遮光する遮光部材を備え、前記受光部により光が受光されなかった場合に、何れかの前記キーホルダーが挿入されていないと判定する判定部を備える。
これにより、複数の鍵に対して１対の発光部及び受光部を設けるだけで、未返却の鍵の有無を管理することができ、個々の鍵毎にスイッチを設ける場合、個々の鍵毎に識別タグを取り付けるとともに識別タグを読み取る装置を設ける場合に比べて、製造コストを抑えることができる。
【０００８】
また、本発明にかかる鍵保管装置は、複数の鍵に対して１対の発光部及び受光部を設けるだけでよいので、個々の鍵毎にスイッチを設ける場合に比べて、鍵保管装置自体の重量を低減することができる。そのため、鍵保管装置を設置する場所の強度を従来よりも必要としない。従って、鍵保管装置の設置場所の自由度が向上する。
【０００９】
さらに、本発明にかかる鍵保管装置においては、前記本体部は、前記ホルダーケースの前記列を複数列備え、前記ホルダーケースの前記列毎に前記発光部及び前記受光部を備え、前記判定部は、何れかの前記受光部により光が受光されなかった場合に、何れかの前記キーホルダーが挿入されていないと判定する。
これにより、ホルダーケースの列が複数設けられても、１つの判定部でキーホルダーの有無を判定することができる。そのため、鍵保管装置に設けられるホルダーケースの列が増えても、判定部を増やさずに済み、製造コストを低減させることができる。
【００１０】
さらにまた、本発明にかかる鍵保管装置では、隣り合う前記列において、一方の前記列に備えられる前記発光部は、他方の前記列に備えられる前記発光部と対向するように備えられる。
これにより、一方の列に備えられる発光部から発光された光が拡散により他方の列に進入しても、他方の列の受光部に受光されることを防ぐことができる。従って、ホルダーケースが並べられる列の間隔をより狭くすることができ、省スペース化を図ることができる。また、鍵保管装置の小型化を図ることができる。
【００１１】
また、本発明にかかる鍵保管装置は、前記判定部による判定結果を表示する表示部を備えるので、表示部を視認するだけで、全ての鍵が返却されているか否かを容易に確かめることができる。
【００１２】
また、本発明にかかる鍵保管装置は、前記本体部の前記ホルダーケースが並べられた主面を覆う扉を備え、前記扉は、前記表示部に相当する位置に窓穴部を有する。
これにより、扉を閉めた状態のまま、窓穴部から表示部を視認することができ、全ての鍵が返却されているか否かを容易に確かめることができる。
【００１３】
また、本発明にかかる鍵保管装置においては、前記遮光部材は、前記ホルダーケースに前記キーホルダーが挿入されることにより第１の位置から第２の位置に回動するように取り付けられている。そして、前記第１の位置は、前記遮光部材が自重により回動して安定する位置であり、前記遮光部材は、前記第１の位置にあるとき、前記発光部から発光された光を遮光するように構成されている。
これにより、前記遮光部材が自重により第１の位置に位置するようになっているので、ばね等の付勢手段により第１の位置に位置するように構成する場合に比べて、耐久性に優れている。
【発明の効果】
【００１４】
本発明により、製造コストを抑えた鍵保管装置を提供することができる。
【発明を実施するための最良の形態】
【００１５】
以下に、本発明を適用可能な実施の形態を説明する。なお、本発明は、以下の実施の形態に限定されるものではない。
【００１６】
本発明にかかる鍵保管装置１について図を用いて説明する。図１は、本発明にかかる鍵保管装置１の外観を示す斜視図である。図１（ａ）に、扉２が開けられた状態の鍵保管装置１の外観を示し、図１（ｂ）に、扉２が閉められた状態の鍵保管装置１の外観を示す。また、図２に、扉２が開けられた状態の鍵保管装置１の正面からみた平面図を示す。
鍵保管装置１は、図１に示すように、扉２、本体部３、本体部３内に複数設けられたホルダーケース４、ホルダーケース４に挿入されるキーホルダー５、スイッチ６、第１ランプ７（表示部）、第２ランプ８（表示部）を有している。
【００１７】
扉２及び本体部３は、板金等により形成されている。また、扉２と本体部３とはヒンジ９により連結されている。そして、扉２は、本体部３に対して、開閉可能に連結されている。
【００１８】
扉２は、図１（ｂ）に示すように、窓穴部１０を有している。窓穴部１０は、本体部３のスイッチ６、第１ランプ７、第２ランプ８に相当する位置に設けられている。そして、扉２が閉められた状態で、窓穴部１０により、スイッチ６、第１ランプ７、第２ランプ８が露出されるようになっている。これにより、扉２を閉めた状態のまま、第１ランプ７及び第２ランプ８の点灯を確認することができる。
【００１９】
本体部３は、箱型に形成されている。そして、本体部３の主面１１（扉２側の面）に、複数のホルダーケース４が備えられている。例えば、図２に示すように、本体部３には、１列１７個のホルダーケース４が３列設けられている。
【００２０】
また、本体部３の主面１１には、スイッチ６、第１ランプ７、第２ランプ８が備えられている。そして、スイッチ６が押下されることにより、第１ランプ７、第２ランプ８の何れかが点灯するようになっている。例えば、鍵保管装置１は図示しない電源を有し、スイッチ６が押下されることにより電源がＯＮとなる。そして、電源により駆動されて第１ランプ７又は第２ランプ８が点灯する。
具体的には、全てのホルダーケース４にキーホルダー５が挿入されている場合には、スイッチ６が押下されることにより、第１ランプ７が点灯する。また、何れかのホルダーケース４にキーホルダー５が挿入されていない場合には、スイッチ６が押下されることにより、第２ランプ８が点灯する。
また、第１ランプ７及び第２ランプ８は、スイッチ６が押下されている間、点灯する。すなわち、スイッチ６がＯＦＦとなった場合には、第１ランプ７及び第２ランプ８は、消灯する。
【００２１】
なお、第１ランプ７と第２ランプ８の点灯する色を異なる色とすると、判別しやすくなる。例えば、第１ランプ７の点灯色を緑色とし、第２ランプ８の点灯色を赤色とすることができる。
また、第１ランプ７、第２ランプ８は、例えば、ＬＥＤ（Light  Emitting  Diode）により構成されてもよい。
また、図示しない電源としては、マンガン電池、アルカリ電池等の乾電池を使用することができる。
【００２２】
次に、キーホルダー５の構造について、図３を用いて説明する。図３（ａ）は、キーホルダー５の背面を示す平面図、図３（ｂ）は、キーホルダー５の側面を示す平面図である。ここで、キーホルダー５の背面とは、ホルダーケース４への挿入方向奥側から見た平面である。
キーホルダー５は、図３に示すように、ＡＢＳ樹脂等の素材により平板状に形成されている。また、キーホルダー５の背面は、図３（ａ）に示すように、略長方形形状となっており、上側の隣り合う角部が切り欠かれた形状となっている。また、キーホルダー５の側面形状は、図３（ｂ）に示すように、下底が短い略台形形状となっている。また、キーホルダー５の側面の挿入方向奥側の角部は略直角となっている。
【００２３】
図３に示すように、キーホルダー５の側面には溝部５Ａが設けられている。溝部５Ａは、キーホルダー５の背面側の端部から挿入方向に沿って直線状に形成されている。溝部５Ａの長さは、キーホルダー５がホルダーケース４内に挿入される部分の長さと略同じ長さとなっている。また、溝部５Ａは、例えば、１つの側面に５列ずつ、合計１０列設けられている。また、１０列の溝部５Ａうちの何れか５列にピン５Ｂが嵌合されている。そして、溝部５Ａに嵌合するピン５Ｂの配置をキーホルダー５毎に変えることにより、各キーホルダー５を識別可能にしている。この場合、１０個の溝部５Ａに５個のピン５Ｂを配置するので、溝部５Ａに嵌合するピン５Ｂの配置は、１０Ｃ５＝２５２通りとなる。従って、２５２個まで、異なるキーホルダー５を作成することが可能である。
【００２４】
また、キーホルダー５の背面側から見た溝部５Ａの形状は、略台形形状となっている。また、キーホルダー５の背面側から見た溝部５Ａの幅は、キーホルダー５の内側に向かうにつれて大きくなっている。これにより、溝部５Ａに嵌合されたピン５Ｂが外れにくいようになっている。
【００２５】
また、キーホルダー５の挿入方向手前側の端部には、貫通穴部５Ｃが設けられている。貫通穴部５Ｃは、キーホルダー５の一方の側面から他方の側面へと貫通するように設けられている。また、例えば、貫通穴部５Ｃに連結輪（図示省略）が通される。そして、当該連結輪に鍵をつけることにより、キーホルダー５を鍵に取り付ける。
【００２６】
また、キーホルダー５の溝部５Ａと貫通穴部５Ｃとの間の領域には、ラベルを貼り付け可能な凹部５Ｄが設けられている。凹部５Ｄは、略矩形状の凹みにより形成されている。そして、凹部５Ｄにより、貼り付けられたラベルが剥がれにくいようになっている。
【００２７】
次に、ホルダーケース４について図２、図４を参照しながら説明する。キーホルダー５が挿入された状態のホルダーケース４の側面図を図４（ａ）、正面図を図４（ｂ）に示す。また、キーホルダー５が挿入されていない状態のホルダーケース４の側面図を図４（ｃ）、正面図を図４（ｄ）に示す。また、１列のホルダーケース４の正面図を図４（ｅ）に示す。
【００２８】
ホルダーケース４は、図４に示すように、カバー４Ａ、中板４Ｂ、ケース部４Ｃ等により構成される。カバー４Ａ及びケース部４Ｃは、ＡＢＳ樹脂等の素材により形成される。また、中板４Ｂは、板金等により形成され、本体部３の主面１１を構成する。そして、カバー４Ａは、中板４Ｂの表面（ホルダーケース４の挿入方向手前側の面）に取り付けられる。また、ケース部４Ｃは、中板４Ｂの裏面（ホルダーケース４の挿入方向奥側の面）に取り付けられる。
【００２９】
中板４Ｂには、キーホルダー５を挿入するための貫通孔部４Ｄが形成されている。貫通孔部４Ｄの形状は、キーホルダー５の背面の形状と略同一形状となっている。そして、貫通孔部４Ｄの縁部には、キーホルダー５のピン５Ｂが嵌合されていない溝部５Ａに相当する位置に突起４Ｅが形成されている。また、例えば、突起４Ｅは、５つ設けられている。また、各ホルダーケース４を構成する貫通孔部４Ｄにおける突起４Ｅの配置は、それぞれ異なっている。そして、ホルダーケース４とキーホルダー５とが１対１で対応するようになっている。
なお、キーホルダー５及びホルダーケース４の形状は本実施形態に限定されるものではない。また、キーホルダー５及びホルダーケース４は、キーホルダー５がホルダーケース４に挿入可能な形状に形成されればよく、キーホルダー５とホルダーケース４とが１対１対応でなくてもよい。
【００３０】
カバー４Ａは、平板形状に形成されている。また、カバー４Ａは、中板４Ｂの貫通孔部４Ｄに相当する位置に開口部４Ｆを有している。開口部４Ｆは、キーホルダー５の背面の形状と略同一形状となっている。そして、キーホルダー５が開口部４Ｆ及び貫通孔部４Ｄを通してケース部４Ｃへと挿入されるようになっている。
【００３１】
また、カバー４Ａには、ラベルを貼付するための凹部４Ｇが設けられている。凹部４Ｇは、略矩形形状の凹みにより形成されている。凹部４Ｇは、例えば、開口部４Ｆより上側の領域に形成されている。そして、凹部４Ｇにより、貼り付けられたラベルが剥がれにくいようになっている。
【００３２】
ケース部４Ｃは、回動可能に取り付けられた羽部４Ｈ（遮光部材）を有している。
また、ケース部４Ｃは、キーホルダー５と略同一形状に形成された挿入孔部４Ｉを有している。また、ケース部４Ｃには、羽部４Ｈが回動するための切欠部（図示省略）を有している。切欠部は、例えば、挿入孔部４Ｉを形成する底面に形成されている。また、切欠部は、挿入孔部４Ｉの幅方向略中央付近に設けられている。また、切欠部の幅は、羽部４Ｈの幅よりも大きい。
【００３３】
羽部４Ｈは、略く字状に成形された平板に成形されている。換言すれば、羽部４Ｈは、略長方形形状の第１の平板４Ｊと略長方形形状の第２の平板４Ｋが略垂直に連結された形状に成形されている。また、羽部４Ｈは、略中央部分が回動軸となるように、ケース部４Ｃに回動可能に取り付けられている。また、羽部４Ｈは、挿入孔部４Ｉの幅方向略中央付近に位置するように取り付けられている。
【００３４】
また、第１の平板４Ｊは、第２の平板４Ｋより大きく形成されている。従って、第１の平板４Ｊは、第２の平板４Ｋより重い。そのため、図４（ｃ）、（ｄ）に示すように、羽部４Ｈは、自重により、第１の平板４Ｊ及び第２の平板４Ｋの各々の重心が下側に移動するように回動する。そして、羽部４Ｈは、切欠部により、挿入孔部４Ｉ内に進入し、第１の平板４Ｊ及び第２の平板４Ｋがそれぞれ傾斜した状態となる位置（第１の位置）で安定するようになっている。また、このとき、第１の平板４Ｊにより、発光部１２（後述）から発光される光の光路が遮断され、遮光されるようになっている。
【００３５】
一方、挿入孔部４Ｉ内にキーホルダー５が挿入されると、羽部４Ｈは、キーホルダー５により挿入方向に押され、第１の位置から第２の位置へ回動する。そして、図４（ａ）に示すように、キーホルダー５が挿入孔部４Ｉ内に完全に挿入された状態では、羽部４Ｈが第２の位置に到達し、第２の平板４Ｋがキーホルダー５の背面に当接する。このとき、図４（ａ)、(ｂ)に示すように、第１の平板４Ｊ及び第２の平板４Ｋの各々の重心が上側に移動するように、羽部４Ｈが回動するため、第１の平板４Ｊが上方向に移動し、発光部１２から発光される光は遮光されない。
【００３６】
ここで、キーホルダー５が挿入孔部４Ｉ内に挿入する際に、羽部４Ｈの第２の平板４Ｋがキーホルダー５に接触する部分を接触部４Ｌとする。羽部４Ｈの接触部４Ｌは、滑らかな曲線形状となっている。これにより、キーホルダー５が挿入孔部４Ｉ内に挿入される際に、羽部４Ｈの接触部４Ｌとキーホルダー５の背面に対して徐々に滑りながら当接する。そして、羽部４Ｈがキーホルダー５の挿入に伴って、滑らかに回動する。
【００３７】
また、本体部３の主面１１の背面側には、発光部１２及び受光部１３が設けられている。具体的には、列状に並べられたホルダーケース４の列の一端に発光部１２が取り付けられている。また、列状に並べられたホルダーケース４の列の他端に受光部１３が取り付けられている。
また、発光部１２及び受光部１３は、発光部１２から発光された光がホルダーケース４の列と平行に進むように取り付けられている。
【００３８】
そして、列状に並べて取り付けられたホルダーケース４の全てにキーホルダー５が挿入されている場合には、発光部１２から発光された光は、羽部４Ｈにより遮光されない。従って、この場合、発光部１２から発光された光は受光部１３により受光される。反対に、列状に並べて取り付けられたホルダーケース４の何れかにキーホルダー５が挿入されていない場合には、発光部１２から発光された光は、羽部４Ｈにより遮光される。従って、この場合、発光部１２から発光された光は受光部１３により受光されない。そして、受光部１３によって発光部１２から発光された光が受光されたか否かに基づいて、キーホルダー５が全て挿入されているか否か、即ち、鍵が全て返却されているか否かを検出する。
【００３９】
また、上下隣り合うホルダーケース４の列において、上側の列の発光部１２と下側の列の発光部１２は、互いに向き合う位置となるように設けられる。従って、上側の列の受光部１３と下側の列の受光部１３は、互いに向き合う位置となるように設けられる。換言すれば、上下隣り合うホルダーケース４の列において、上側の列の右側に発光部１２が設けられた場合には、下側の列の左側に発光部１２が設けられる。一方、上側の列の左側に受光部１３が設けられた場合には、下側の列の右側に受光部１３が設けられる。これにより、万が一、発光部１２から発光された光が拡散して隣の列に進入しても、隣の列の受光部１３により受光されて誤検出の原因となることはない。
なお、発光部１２及び受光部１３が設けられる位置は本実施形態に限定されるものではない。例えば、上下隣り合うホルダーケース４の列において、上側の列の発光部１２と下側の列の発光部１２とは、当該上下の列において同じ側の端に設けられてもよい。
【００４０】
また、発光部１２は、例えば、赤外線ＬＥＤ等により構成される。また、発光部１２は、本体部３のスイッチ６が押下されることにより発光を開始する。例えば、発光部１２は、スイッチ６が押下されることによりＯＮされた電源（図示省略）に駆動されて、発光する。そして、発光部１２は、判定パルス（後述）がＬｏｗからＨｉｇｈに立ち上がることにより、発光を停止する。
また、受光部１３は、後述する判定回路１４（判定部）に受光結果を出力する。具体的には、受光部１３は、発光部１２から発光された光を受光した場合に、Ｈｉｇｈの信号を判定回路１４に出力する。一方、受光部１３は、発光部１２から発光された光を受光しなかった場合に、Ｌｏｗの信号を判定回路１４に出力する。
【００４１】
また、本発明にかかる鍵保管装置１は、受光部１３による受光結果に基づいて、全てのホルダーケース４にキーホルダー５が挿入されているか否かを判定する判定回路１４を備える。図５に、本発明にかかる判定回路１４の一例を示す。
判定回路１４は、受光部１３からの出力が入力される第１のＮＡＮＤ回路１５、第１のＮＡＮＤ回路１５に接続される第２のＮＡＮＤ回路１６、第２のＮＡＮＤ回路１６に接続される第１のフリップフロップ１７、第１のＮＡＮＤ回路１５に接続される第２のフリップフロップ１８、第１のフリップフロップ１７に接続される第１のトランジスタ１９、第２のフリップフロップ１８に接続される第２のトランジスタ２０、抵抗Ｒ１、Ｒ２、・・・、Ｒ９を有している。また、第１のトランジスタ１９は、第１ランプ７（例えば、緑色に点灯）に接続されている。第２のトランジスタ２０は、第２ランプ８（例えば、赤色に点灯）に接続されている。
【００４２】
第１のＮＡＮＤ回路１５には、受光部１３からの出力信号が入力される。受光部１３は、発光部１２から発光された光を受光した場合にＨｉｇｈの信号を出力する。そして、全てのホルダーケース４にキーホルダー５が挿入されて、全ての受光部１３からＨｉｇｈの信号が入力された場合、第１のＮＡＮＤ回路１５は、Ｌｏｗの信号を出力する。一方、何れかのホルダーケース４にキーホルダー５が挿入されず、何れかの受光部１３からＬｏｗの信号が入力された場合、第１のＮＡＮＤ回路１５は、Ｈｉｇｈの信号を出力する。
【００４３】
また、受光部１３と第１のＮＡＮＤ回路１５との間には終端抵抗Ｒ１、Ｒ２、Ｒ３が接続されている。例えば、３つの受光部１３（図５における、ＳＥＮＳＥ１、ＳＥＮＳＥ２、ＳＥＮＳＥ３）の出力信号が第１のＮＡＮＤ回路１５に入力される場合、それぞれの受光部１３と第１のＮＡＮＤ回路１５とを接続するノードＮＤ１、ＮＤ２、ＮＤ３とする。この場合、ノードＮＤ１、ＮＤ２、ＮＤ３のそれぞれに抵抗Ｒ１、Ｒ２、Ｒ３が接続される。そして、抵抗Ｒ１、Ｒ２、Ｒ３を接続することにより、受光部１３からの出力信号の電圧を第１のＮＡＮＤ回路１５において利用可能な電圧に調整する。
【００４４】
第２のＮＡＮＤ回路１６の全ての入力端子には、第１のＮＡＮＤ回路１５からの出力信号が入力される。そして、第１のＮＡＮＤ回路１５からＨｉｇｈの信号が入力された場合、第２のＮＡＮＤ回路１６は、Ｌｏｗの信号を出力する。一方、第１のＮＡＮＤ回路１５からＬｏｗの信号が入力された場合、第２のＮＡＮＤ回路１６は、Ｈｉｇｈの信号を出力する。
【００４５】
第１のフリップフロップ１７は、Ｄ型フリップフロップである。第１のフリップフロップ１７の端子Ｄには、第２のＮＡＮＤ回路１６の出力信号が入力される。
また、第１のフリップフロップ１７の端子ＰＲには、電源電圧ＶＣＣが接続されている。そして、第１のフリップフロップ１７は、電源電圧ＶＣＣがＯＮとなった場合に、クリア状態となる。
また、第１のフリップフロップ１７の端子ＣＬには、判定メモリクリア信号が入力される。そして、端子ＣＬに判定メモリクリア信号が入力された際に、第１のフリップフロップ１７のクリア状態が解除される。具体的には、判定メモリクリア信号は、電源電圧ＶＣＣがＯＮとなってから時間ｔ１後に立ち上がりＨｉｇｈとなる。そして、端子ＣＬにＨｉｇｈの信号が入力された場合に、第１のフリップフロップ１７のクリア状態が解除される。
また、第１のフリップフロップ１７の端子ＣＬＫには、判定パルスが入力される。そして、第１のフリップフロップ１７は、端子ＣＬＫに判定パルスが入力された際に、端子Ｄに入力された信号を出力端子Ｑから出力する。具体的には、判定パルスは、電源電圧ＶＣＣがＯＮとなってから時間ｔ１後に立ち下がってＬｏｗとなる。その後、判定パルスは、時間ｔ２（ｔ１＞ｔ２）の間Ｌｏｗとなった後、立ち上がってＨｉｇｈとなる。従って、第１のフリップフロップ１７の端子ＣＬＫには、電源電圧ＶＣＣがＯＮとなってから時間ｔ３（ｔ３＝ｔ１＋ｔ２）後に、Ｈｉｇｈの立ち上がり信号が入力される。そして、第１のフリップフロップ１７は、端子ＣＬＫに、Ｈｉｇｈの立ち上がり信号が入力された場合に、端子Ｄに入力された信号を出力する。即ち、端子ＤにＨｉｇｈの信号が入力されている場合には、出力端子Ｑは、Ｈｉｇｈの信号を出力する。また、端子ＤにＬｏｗの信号が入力されている場合には、出力端子Ｑは、Ｌｏｗの信号を出力する。ここで、例えば、ｔ１＝６５０μｓｅｃ、ｔ２＝５０μｓｅｃ、ｔ３＝７００μｓｅｃである。
【００４６】
第２のフリップフロップ１８は、Ｄ型フリップフロップである。第２のフリップフロップ１８の端子Ｄには、第１のＮＡＮＤ回路１５の出力信号が入力される。
また、第２のフリップフロップ１８の端子ＰＲには、電源電圧ＶＣＣが接続されている。そして、第２のフリップフロップ１８は、電源電圧ＶＣＣがＯＮとなった場合に、クリア状態となる。
また、第２のフリップフロップ１８の端子ＣＬには、判定メモリクリア信号が入力される。そして、端子ＣＬに判定メモリクリア信号が入力された際に、第２のフリップフロップ１８のクリア状態が解除される。具体的には、判定メモリクリア信号は、電源電圧ＶＣＣがＯＮとなってから時間ｔ１後に立ち上がりＨｉｇｈとなる。そして、端子ＣＬにＨｉｇｈの信号が入力された場合に、第２のフリップフロップ１８のクリア状態が解除される。
また、第２のフリップフロップ１８の端子ＣＬＫには、判定パルスが入力される。そして、第２のフリップフロップ１８は、端子ＣＬＫに判定パルスが入力された際に、端子Ｄに入力された信号を出力端子Ｑから出力する。具体的には、判定パルスは、電源電圧ＶＣＣがＯＮとなってから時間ｔ１後に立ち下がってＬｏｗとなる。その後、判定パルスは、時間ｔ２の間Ｌｏｗとなった後、立ち上がってＨｉｇｈとなる。従って、第２のフリップフロップ１８の端子ＣＬＫには、電源電圧ＶＣＣがＯＮとなってから時間ｔ３後に、Ｈｉｇｈの立ち上がり信号が入力される。そして、第２のフリップフロップ１８は、端子ＣＬＫに、Ｈｉｇｈの立ち上がり信号が入力された場合に、端子Ｄに入力された信号を出力する。即ち、端子ＤにＨｉｇｈの信号が入力されている場合には、出力端子Ｑは、Ｈｉｇｈの信号を出力する。また、端子ＤにＬｏｗの信号が入力されている場合には、出力端子Ｑは、Ｌｏｗの信号を出力する。
【００４７】
第１のトランジスタ１９は、バイポーラトランジスタである。第１のトランジスタ１９のベース端子は、抵抗Ｒ４を介して、第１のフリップフロップ１７の出力端子Ｑと接続されている。また、第１のトランジスタ１９のエミッタ端子は、接地電位に接続されている。また、第１のトランジスタ１９のエミッタ端子は、抵抗Ｒ４と抵抗Ｒ５を介して接続されている。また、第１のトランジスタ１９のコレクタ端子は、抵抗Ｒ６を介して第１ランプ７に接続されている。
そして、第１のフリップフロップ１７の出力端子ＱからＨｉｇｈの信号がベース端子に入力されると、第１のトランジスタ１９はＯＮとなる。そして、第１のランプが点灯する。一方、第１のフリップフロップ１７の出力端子ＱからＬｏｗの信号がベース端子に入力されると、第１のトランジスタ１９はＯＦＦとなる。この場合、第１ランプ７は点灯しない。
【００４８】
第２のトランジスタ２０は、バイポーラトランジスタである。第２のトランジスタ２０のベース端子は、抵抗Ｒ７を介して、第２のフリップフロップ１８の出力端子Ｑと接続されている。また、第２のトランジスタ２０のエミッタ端子は、接地電位に接続されている。また、第２のトランジスタ２０のエミッタ端子は、抵抗Ｒ７と抵抗Ｒ８を介して接続されている。また、第２のトランジスタ２０のコレクタ端子は、抵抗Ｒ９を介して第２ランプ８に接続されている。
そして、第２のフリップフロップ１８の出力端子ＱからＨｉｇｈの信号がベース端子に入力されると、第２のトランジスタ２０はＯＮとなる。そして、第２ランプ８が点灯する。一方、第２のフリップフロップ１８の出力端子ＱからＬｏｗの信号がベース端子に入力されると、第２のトランジスタ２０はＯＦＦとなる。この場合、第２ランプ８は点灯しない。
【００４９】
次に、本発明にかかる鍵保管装置１の動作について図６に示すタイミングチャートを参照しながら説明する。
まず、本体部３のスイッチ６が押下されると、電源電圧ＶＣＣがＨｉｇｈとなる。また、電源電圧ＶＣＣがＨｉｇｈとなることにより、発光部１２が発光する。
【００５０】
次に、判定メモリクリア信号が、スイッチ６が押下されてから時間ｔ１後に立ち上がりＨｉｇｈとなる。このとき、第１のフリップフロップ１７及び第２のフリップフロップ１８の端子ＣＬにＨｉｇｈの信号が入力される。そして、第１のフリップフロップ１７及び第２のフリップフロップ１８のクリア状態が解除される。
また、判定パルスは、電源電圧ＶＣＣがＯＮとなってから時間ｔ１後に立ち下がってＬｏｗとなる。その後、判定パルスは、時間ｔ２の間Ｌｏｗとなった後、立ち上がってＨｉｇｈとなる。このとき、発光部１２は、判定パルスが立ち上がったことにより、発光を停止する。また、第１のフリップフロップ１７及び第２のフリップフロップ１８の端子ＣＬＫにＨｉｇｈの立ち上がり信号が入力される。そして、第１のフリップフロップ１７及び第２のフリップフロップ１８は、端子Ｄに入力された信号を出力端子Ｑから出力する。これにより、第１のトランジスタ１９又は第２のトランジスタ２０がＯＮとなる。そして、第１ランプ７又は第２ランプ８の何れかが点灯する。
【００５１】
次に、スイッチ６がＯＦＦされると、電源電圧ＶＣＣがＬｏｗとなる、また、判定メモリクリア信号及び判定パルスもＬｏｗとなる。そして、第１ランプ７及び第２ランプ８も消灯する。
【００５２】
以上、説明したように、本実施形態にかかる鍵保管装置１では、鍵に取り付けられる複数のキーホルダー５と、キーホルダー５が挿入される複数のホルダーケース４と、複数のホルダーケース４が列状に並べて設けられた本体部３と、本体部３のホルダーケース４が並べられた列の一端側に設けられる発光部１２と、本体部３の当該列の他端側に設けられ、発光部１２から発光された光を受光する受光部１３と、を備え、ホルダーケース４は、キーホルダー５が挿入されていない場合に発光部１２から発光された光を遮光する羽部４Ｈを備え、受光部１３により光が受光されなかった場合に、何れかのキーホルダー５が挿入されていないと判定する判定回路１４を備える。
これにより、複数の鍵に対して１対の発光部１２及び受光部１３を設けるだけで、未返却の鍵の有無を管理することができ、個々の鍵毎にスイッチを設ける場合、個々の鍵毎に識別タグを取り付けるとともに識別タグを読み取る装置を設ける場合に比べて、製造コストを抑えることができる。
【００５３】
また、本実施形態にかかる鍵保管装置１は、複数の鍵に対して１対の発光部１２及び受光部１３を設けるだけでよいので、個々の鍵毎にスイッチを設ける場合に比べて、鍵保管装置１自体の重量を低減することができる。そのため、鍵保管装置１を設置する場所の強度を従来よりも必要としない。従って、鍵保管装置１の設置場所の自由度が向上する。
【００５４】
さらに、本実施形態にかかる鍵保管装置１においては、本体部３は、ホルダーケース４の列を３列備え、ホルダーケース４の列毎に発光部１２及び受光部１３を備え、判定回路１４は、何れかの受光部１３により光が受光されなかった場合に、何れかのキーホルダー５が挿入されていないと判定する。
これにより、ホルダーケース４の列が複数設けられても、１つの判定回路１４でキーホルダー５の有無を判定することができる。そのため、鍵保管装置１に設けられるホルダーケース４の列が増えても、判定回路１４を増やさずに済み、製造コストを低減させることができる。
【００５５】
さらにまた、本実施形態にかかる鍵保管装置１では、一方のホルダーケース４の列と当該列と隣り合うホルダーケース４の列において、一方のホルダーケース４の列に備えられる発光部１２は、他方のホルダーケース４の列に備えられる発光部１２と対向するように備えられる。
これにより、一方の列に備えられる発光部１２から発光された光が拡散により他方の列に進入しても、他方の列の受光部１３に受光されることを防ぐことができる。従って、ホルダーケース４が並べられる列の間隔をより狭くすることができ、省スペース化を図ることができる。また、鍵保管装置１の小型化を図ることができる。
【００５６】
また、本実施形態にかかる鍵保管装置１は、判定回路１４による判定結果に基づいて点灯する第１ランプ７及び第２ランプ８を備えるので、第１ランプ７又は第２ランプ８の点灯を視認するだけで、全ての鍵が返却されているか否かを容易に確かめることができる。
【００５７】
また、本実施形態にかかる鍵保管装置１は、本体部３のホルダーケース４が並べられた主面１１を覆う扉２を備え、扉２は、第１ランプ７及び第２ランプ８に相当する位置に窓穴部１０を有する。
これにより、扉２を閉めた状態のまま、窓穴部１０から第１ランプ７及び第２ランプ８を視認することができ、全ての鍵が返却されているか否かを容易に確かめることができる。
【００５８】
また、本実施形態にかかる鍵保管装置１においては、羽部４Ｈは、ホルダーケース４にキーホルダー５が挿入されることにより第１の位置から第２の位置に回動するように取り付けられている。そして、第１の位置は、羽部４Ｈが自重により回動して安定する位置であり、羽部４Ｈは、第１の位置にあるとき、発光部１２から発光された光を遮光するように構成されている。
これにより、羽部４Ｈが自重により第１の位置に位置するようになっているので、ばね等の付勢手段により第１の位置に位置するように構成する場合に比べて、耐久性に優れている。
【００５９】
また、本実施形態にかかる鍵保管装置１において、電源が供給されるものは、複数の鍵に対して１対ずつ設けられる発光部１２及び受光部１３、判定回路１４、第１ランプ７、第２ランプ８だけである。そのため、電源を単３電池等の電池により構成することができる。従って、電源消費量が低減される。また、鍵保管装置１の設置場所に電源を必要としない。従って、鍵保管装置１の設置場所の自由度が向上する。
【００６０】
また、本実施形態にかかる鍵保管装置１において、本体部３は、箱型に形成されている。そのため、本体部３の内部は、外光が遮光された空間となっている。そして、発光部１２及び受光部１３は、本体部３の主面１１の背面側、即ち、遮光された空間である本体部３の内部に備えられる。これにより、受光部１３に外光等が入射することがないため、受光部１３は、より感度良く発光部１２からの光を受光することができる。
【００６１】
なお、本実施形態では、第１ランプ７又は第２ランプ８の何れかが点灯することにより、鍵の返却／未返却を知らせることとしたが、音により鍵の返却／未返却を知らせることとしてもよい。
また、本実施形態では、表示部として第１ランプ７又は第２ランプ８を例示したが、鍵の返却の有無を知らせるものであれば何であってもよい。また、表示部としてランプ１つだけが備えられてもよい。その場合には、鍵の返却がある場合又は返却がない場合の何れかの場合に当該ランプが点灯するように構成すればよい。
また、本実施形態では、スイッチ６が押下されることにより電源がＯＮとなり、判定回路１４により鍵の返却／未返却が判定されることとしたが、他の方法により電源がＯＮとされてもよい。例えば、扉２が閉められたことを検出し、扉２が閉められたことにより電源がＯＮとされてもよい。また、スイッチ６の押下と扉２が閉められたこととの両方のタイミングで判定回路１４により鍵の返却／未返却が判定されてもよい。
また、本発明では、キーホルダー４と鍵とが別体で構成される例を示したが、キーホルダー４と鍵とが一体型で形成され、ホルダーケース５にキーホルダー４と一体型で形成された鍵が挿入されてもよい。
【図面の簡単な説明】
【００６２】
【図１】本発明にかかる鍵保管装置の扉が開けられた状態の外観を示す斜視図（図１（ａ））、本発明にかかる鍵保管装置の扉が閉められた状態の外観を示す斜視図（図１（ｂ））である。
【図２】本発明にかかる鍵保管装置の扉が開けられた状態を正面からみた平面図である。
【図３】本発明にかかるキーホルダーの背面を示す平面図（図３（ａ））、本発明にかかるキーホルダーの側面を示す平面図（図３（ｂ））である。
【図４】本発明にかかるキーホルダーが挿入された状態のホルダーケースの側面図（図４（ａ））及び正面図（図４（ｂ））、キーホルダーが挿入されていない状態のホルダーケースの側面図（図４（ｃ））及び正面図（図４（ｄ））、１列のホルダーケースの正面図（図４（ｅ））である。
【図５】本発明にかかる判定回路を示す回路図である。
【図６】本発明にかかる鍵保管装置の動作を説明するタイミングチャートである。
【符号の説明】
【００６３】
１  鍵保管装置
２  扉
３  本体部
４  ホルダーケース
４Ｈ  羽部（遮光部材）
５  キーホルダー
７  第１ランプ（表示部）
８  第２ランプ（表示部）
１０  窓穴部
１２  発光部
１３  受光部
１４  判定回路（判定部）
【図１】
2008308879.tif 000003
【図２】
2008308879.tif 000004
【図３】
2008308879.tif 000005
【図４】
2008308879.tif 000006
【図５】
2008308879.tif 000007
【図６】
2008308879.tif 000008
【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
複数の鍵を保管する鍵保管装置であって、
鍵に取り付けられる複数のキーホルダーと、
前記キーホルダーが挿入される複数のホルダーケースと、
複数の前記ホルダーケースが列状に並べて設けられた本体部と、
前記本体部の前記ホルダーケースが並べられた列の一端側に設けられる発光部と、
前記本体部の前記列の他端側に設けられ、前記発光部から発光された光を受光する受光部と、
を備え、
前記ホルダーケースは、前記キーホルダーが挿入されていない場合に前記発光部から発光された光を遮光する遮光部材を備え、
前記受光部により光が受光されなかった場合に、何れかの前記キーホルダーが挿入されていないと判定する判定部を備える鍵保管装置。
【請求項２】
前記本体部は、前記ホルダーケースの前記列を複数列備え、
前記ホルダーケースの前記列毎に前記発光部及び前記受光部を備え、
前記判定部は、何れかの前記受光部により光が受光されなかった場合に、何れかの前記キーホルダーが挿入されていないと判定する請求項１に記載の鍵保管装置。
【請求項３】
複数列設けられた前記ホルダーケースの前記列のうち、隣り合う前記列において、互いに前記発光部が列方向において反対側に位置する請求項２に記載の鍵保管装置。
【請求項４】
前記判定部による判定結果を表示する表示部を備える請求項１乃至３の何れか一項に記載の鍵保管装置。
【請求項５】
前記本体部の前記ホルダーケースが並べられた主面を覆う扉を備え、
前記扉は、前記表示部に相当する位置に窓穴部を有する請求項４に記載の鍵保管装置。
【請求項６】
前記遮光部材は、前記ホルダーケースに前記キーホルダーが挿入されることにより第１の位置から第２の位置に回動するように取り付けられ、
前記第１の位置は、前記遮光部材が自重により回動して安定する位置であり、
前記遮光部材は、前記第１の位置にあるとき、前記発光部から発光された光を遮光する請求項１乃至５の何れか一項に記載の鍵保管装置。
【手続補正２】
【補正対象書類名】明細書
【補正対象項目名】００１０
【補正方法】変更
【補正の内容】
【００１０】
さらにまた、本発明にかかる鍵保管装置では、複数列設けられた前記ホルダーケースの前記列のうち、隣り合う前記列において、互いに前記発光部が列方向において反対側に位置する。
これにより、一方の列に備えられる発光部から発光された光が拡散により他方の列に進入しても、他方の列の受光部に受光されることを防ぐことができる。従って、ホルダーケースが並べられる列の間隔をより狭くすることができ、省スペース化を図ることができる。また、鍵保管装置の小型化を図ることができる。
【手続補正３】
【補正対象書類名】明細書
【補正対象項目名】００５５
【補正方法】変更
【補正の内容】
【００５５】
さらにまた、本実施形態にかかる鍵保管装置１では、複数列設けられたホルダーケース４の列のうち、隣り合う列において、互いに発光部１２が列方向において反対側に位置する。
これにより、一方の列に備えられる発光部１２から発光された光が拡散により他方の列に進入しても、他方の列の受光部１３に受光されることを防ぐことができる。従って、ホルダーケース４が並べられる列の間隔をより狭くすることができ、省スペース化を図ることができる。また、鍵保管装置１の小型化を図ることができる。
【手続補正４】
【補正対象書類名】図面
【補正対象項目名】図５
【補正方法】変更
【補正の内容】
【図５】
2008308879.tif 000009